(57)【要約】【課題】シリンジ内に残る薬剤を低減すること。【解決手段】実施形態によれば、シリンジポンプは、シャフトと、蛇腹とを備える。シャフトは、ケースから突出し、シリンジの押し子を押圧するスライダに接続され、スライダとともに移動する。蛇腹は、ケースから突出するシャフトを覆い、頂部の径が異なる少なくとも３種類以上の山部が連続して形成され、隣り合う山部における頂部の径が異なる。【選択図】図５
2019150298.tif 000002
【特許請求の範囲】
【請求項１】
ケースから突出し、シリンジの押し子を押圧するスライダに接続され、前記スライダとともに移動するシャフトと、
前記ケースから突出する前記シャフトを覆い、頂部の径が異なる少なくとも３種類以上の山部が連続して形成され、隣り合う前記山部における前記頂部の径が異なる蛇腹と
を備える
シリンジポンプ。
【請求項２】
前記蛇腹は、連続する３つの前記山部において、前記頂部の径がそれぞれ異なる
請求項１に記載のシリンジポンプ。
【請求項３】
前記蛇腹は、連続する３つの前記山部において、最も前記頂部の径が大きい前記山部の両側に前記頂部の径が等しい前記山部が形成される対称山部を含む
請求項１に記載のシリンジポンプ。
【請求項４】
前記蛇腹は、
隣り合う前記山部を接続する底部において、隣り合う前記底部の径が異なる
請求項１から３のいずれか一つに記載のシリンジポンプ。
【請求項５】
隣り合う前記山部を接続する底部の内径は、前記シャフトの外径よりも大きい
請求項１から４のいずれか一つに記載のシリンジポンプ。
【請求項６】
前記蛇腹は、弾性部材で構成される
請求項１から５のいずれか一つに記載のシリンジポンプ。
【発明の詳細な説明】
【技術分野】
【０００１】
本発明は、シリンジポンプに関する。
【背景技術】
【０００２】
従来、シリンジポンプにおいて、シリンジの押し子を押圧するスライダに接続されてスライダとともに移動するシャフトを蛇腹で覆うことが知られている（例えば、特許文献１参照）。
【先行技術文献】
【特許文献】
【０００３】
【特許文献１】特開２０１２−１７０７８８号公報
【発明の概要】
【発明が解決しようとする課題】
【０００４】
しかし、上記技術では、頂部の径が大きい第１山部が連続して形成されており、蛇腹が収縮した場合に、２つの第１山部が当接し、蛇腹によってスライダの移動が妨げられるおそれがある。そのため、上記技術では、押し子を押し切ることができず、シリンジ内に薬剤が残るおそれがある。
【０００５】
本発明は、上記を課題の一例とするものであり、シリンジ内に残る薬剤を低減するシリンジポンプを提供することを目的とする。
【課題を解決するための手段】
【０００６】
本発明の一態様に係るシリンジポンプは、ケースから突出し、シリンジの押し子を押圧するスライダに接続され、前記スライダとともに移動するシャフトと、前記ケースから突出する前記シャフトを覆い、頂部の径が異なる少なくとも３種類以上の山部が連続して形成され、隣り合う前記山部における前記頂部の径が異なる蛇腹とを備える。
【０００７】
本発明の一態様によれば、シリンジ内に残る薬剤を低減するシリンジポンプを提供できる。
【図面の簡単な説明】
【０００８】
【図１Ａ】図１Ａは、シリンジが載置されていない状態のシリンジポンプの概略斜視図である。
【図１Ｂ】図１Ｂは、シリンジが載置されている状態のシリンジポンプの概略斜視図である。
【図２】図２は、シリンジポンプの概略正面図である。
【図３】図３は、駆動ユニットの斜視図である。
【図４Ａ】図４Ａは、噛み合い部がリードスクリューに噛み合う連結状態を示す断面図である。
【図４Ｂ】図４Ｂは、噛み合い部がリードスクリューに噛み合わない解放状態を示す断面図である。
【図５】図５は、前後方向に沿った蛇腹の断面図である。
【図６】図６は、各山部が接触するように蛇腹が収縮した状態を示す概略断面図である。
【発明を実施するための形態】
【０００９】
以下、図面を参照して、実施形態に係るシリンジポンプについて説明する。なお、以下の説明で参照する各図面において、各要素の寸法の関係や比率等は実物と異なる場合がある。また、図面の相互間においても、互いの寸法の関係や比率が異なる部分が含まれている場合がある。また、各図面において、同一の役割を果たす構成要素には同一の符号が付されている。
【００１０】
以下では、位置関係を明確にするために、互いに直交するＸ軸、Ｙ軸およびＺ軸を規定し、シリンジポンプ１のケース２の延伸方向をＸ軸方向および前後方向とし、鉛直方向に平行な方向をＺ軸方向および上下方向とし、Ｘ軸およびＺ軸に直交する方向をＹ軸方向とする。なお、ケース２の延伸方向は、シリンジ１００の押し子１０２を押圧する方向と平行である。
【００１１】
また、Ｘ軸正方向を「前方」とし、Ｘ軸負方向を「後方」とし、前方に移動することを「前進」とし、後方に移動することを「後退」とする。また、Ｙ軸正方向を「手前」とし、Ｙ軸負方向を「奥側」とする。
【００１２】
実施形態に係るシリンジポンプ１について図１Ａ、図１Ｂおよび図２を参照し説明する。図１Ａは、シリンジが載置されていない状態のシリンジポンプ１の概略斜視図である。図１Ｂは、シリンジが載置されている状態のシリンジポンプ１の概略斜視図である。図２は、シリンジポンプ１の概略平面図である。
【００１３】
シリンジポンプ１は、ケース２と、駆動ユニット３とを備える。
【００１４】
ケース２には、シリンジ１００が載置される置き台２Ａが形成される。置き台２Ａは、前後方向に沿って形成される。置き台２Ａには、シリンジ１００の筒部１０１を置き台２Ａに固定するクランプ２Ｂが設けられる。クランプ２Ｂは、例えば、置き台２Ａに回動可能に取り付けられ、シリンジ１００を置き台２Ａに固定する固定位置と、シリンジ１００を着脱可能な着脱位置との間で回動可能である。なお、クランプ２Ｂは、スライドさせることでシリンジ１００を置き台２Ａに固定し、着脱可能としてもよい。
【００１５】
また、ケース２には、置き台２Ａに隣接する凹部２Ｃが形成される。ケース２には、前後方向に沿って凹部２Ｃと置き台２Ａとが並んで形成され、凹部２Ｃは、置き台２Ａよりも後方に形成される。凹部２Ｃは、置き台２Ａよりも奥側に窪むように形成される。
【００１６】
凹部２Ｃには、前後方向と直交する面２Ｄから、蛇腹２５に覆われたシャフト１７が突出し、シャフト１７に接続されるスライダ１８が設けられる。
【００１７】
また、凹部２Ｃには、筒部１０１のフランジ１０１ａを保持するフランジホルダ４が設けられる。フランジホルダ４は、凹部２Ｃを形成する奥側の面２Ｅに板バネ５を介して取り付けられる。
【００１８】
シリンジポンプ１は、シリンジ１００の押し子１０２をスライダ１８によって押圧することで、シリンジ１００から薬剤を送出する。
【００１９】
駆動ユニット３について、図３を参照し説明する。図３は、駆動ユニット３の斜視図である。なお、図３では、説明のため一部の構成を省略している。駆動ユニット３の一部は、ケース２に収容される。
【００２０】
駆動ユニット３は、一対の平板部１０ａ、１０ｂと、モータ１１と、ギア群１２と、リードスクリュー１３と、噛み合い部１４と、受け部材１５と、一対のガイドシャフト１６と、シャフト１７と、スライダ１８と、切替レバー１９と、一対の把持部２０ａ、２０ｂと、押出機構２１とを有する。
【００２１】
平板部１０ａ、１０ｂは、前後方向に直交するように設けられ、ケース２（図１参照）内に収容され、ケース２に固定される。なお、一対の平板部１０ａ、１０ｂのうち、スライダ１８に近い後方側の平板部１０ａを第１平板部１０ａとし、第１平板部１０ａよりもスライダ１８から遠い前方側の平板部１０ｂを第２平板部１０ｂとして称する場合がある。
【００２２】
モータ１１は、たとえば、ＨＢ（Ｈｙｂｒｉｄ）モータやステッピングモータなどであり、第１平板部１０ａに取り付けられる。ギア群１２は、直列に連結される複数のギアで構成され、第１平板部１０ａに回転可能に取り付けられる。ギア群１２は、モータ１１により発生された駆動力をリードスクリュー１３に伝達する。なお、モータ１１およびギア群１２は、第２平板部１０ｂに取り付けられてもよい。
【００２３】
リードスクリュー１３は、平板部１０ａ、１０ｂに回転可能に支持される。リードスクリュー１３は、モータ１１から、ギア群１２を経由して駆動力が伝達されることにより、所定の回転方向に回転する。リードスクリュー１３には、らせん溝（不図示）が形成されている。
【００２４】
噛み合い部１４は、シャフト１７の内側シャフト１７ｂに固定される。噛み合い部１４は、図４Ａに示すように、リードスクリュー１３と向かい合うハーフナット１４ａを備える。ハーフナット１４ａには、リードスクリュー１３に形成されたらせん溝に噛み合い可能な歯形状を有する噛合面１４ｂが形成される。図４Ａは、噛み合い部１４がリードスクリュー１３に噛み合う連結状態を示す断面図である。
【００２５】
噛み合い部１４は、モータ１１からスライダ１８への駆動力伝達状態を、モータ１１からスライダ１８へ駆動力が伝達される連結状態と、モータ１１からスライダ１８へ駆動力が伝達されない解放状態との間で変更する。
【００２６】
噛み合い部１４は、図４Ａに示す連結状態から、切替レバー１９（図３参照）が操作されると、内側シャフト１７ｂとともに図４Ｂに示すように回動する。これにより、噛合面１４ｂが、らせん溝から離間し、噛合面１４ｂと、らせん溝との噛み合いが解除され、駆動力伝達状態は、解放状態となる。図４Ｂは、噛み合い部１４がリードスクリュー１３に噛み合わない解放状態を示す断面図である。
【００２７】
駆動力伝達状態が連結状態となっており、リードスクリュー１３を所定の回転方向に回転させると、噛み合い部１４によって、回転運動が直線運動に変換されて、噛み合い部１４が前進する。なお、駆動力伝達状態が解放状態となっている場合には、手動によってスライダ１８（図３参照）を容易に前後方向に移動させることができる。
【００２８】
図３に戻り、受け部材１５は、一対の壁部１５ａ、１５ｂを有し、噛み合い部１４に隣接して設けられ、前後方向において噛み合い部１４を挟持するように配置される。
【００２９】
一対のガイドシャフト１６は、ともに平板部１０ａ、１０ｂで支持され、前後方向に沿って延びる。一対のガイドシャフト１６は、受け部材１５を前後方向に移動可能となるように支持する。
【００３０】
シャフト１７は、円筒状の外側シャフト１７ａと、外側シャフト１７ａに挿通される内側シャフト１７ｂとを備える。
【００３１】
外側シャフト１７ａの後方の端部は、スライダ１８に取り付けられ、前方の端部は、例えば、ケース２（図１参照）に摺動可能に支持される。外側シャフト１７ａは、回転することはない。ケース２から突出する外側シャフト１７ａは、蛇腹２５に覆われている。
【００３２】
内側シャフト１７ｂは、前方で噛み合い部１４に固定され、後方で切替レバー１９に連結されている。そのため、内側シャフト１７ｂは、切替レバー１９が操作されて回動した場合に、外側シャフト１７ａの中で回動する。
【００３３】
スライダ１８は、内側シャフト１７ｂと一体となって、ケース２の凹部２Ｃ（図１参照）を前後方向に移動する。スライダ１８は、シリンジ１００の押し子１０２に当接した状態で前方に移動することで、押し子１０２を押圧し、シリンジ１００内の薬剤を送出させる。
【００３４】
切替レバー１９は、初期位置から回動することで、駆動力伝達状態を、連結状態から解放状態に切り替える。また、切替レバー１９は、初期位置から回動することで、把持部２０ａ、２０ｂを回動させつつ、押出機構２１によって把持部２０ａ、２０ｂを押し子１０２よりも前方に押し出すことができる。
【００３５】
把持部２０ａ、２０ｂは、切替レバー１９が初期位置から回動すると、互いに離間するように回動し、押出機構２１によって前方に押し出される。これにより、把持部２０ａ、２０ｂは、押し子１０２の周縁の外側を通り、押し子１０２よりも前方に押し出される。その後、切替レバー１９が初期位置に向けて回動すると、把持部２０ａ、２０ｂは、互いが近接するように回動するとともに、後退する。これにより、把持部２０ａ、２０ｂとスライダ１８とにより押し子１０２が挟持され、把持される。
【００３６】
ここで、蛇腹２５について、図５を参照し説明する。図５は、前後方向に沿った蛇腹２５の断面図である。
【００３７】
蛇腹２５は、前後方向の両端に形成される取付部３０ａ、３０ｂと、取付部３０ａ、３０ｂ間に形成される本体部３１とを備える。蛇腹２５は、弾性部材によって構成される。取付部３０ａ、３０ｂには、シャフト１７（図３参照）の径方向外側に突出する取付用山部３０ｃ、３０ｄが形成される。
【００３８】
本体部３１は、頂部の径が異なる少なくとも３種類以上の山部が連続して形成される。ここでは、３種類の山部３２〜３４が連続して形成される本体部３１を一例として説明するがこれに限られることはない。例えば、本体部３１は、４種類の山部が連続して形成されてもよい。
【００３９】
本体部３１は、第１山部３２と、第２山部３３と、第３山部３４とが前後方向に連続して形成される。各山部３２〜３４は、シャフト１７の径方向外側に突出するように形成される。また、本体部３１には、隣り合う山部３２〜３４を接続する底部３５ａ〜３５ｃが形成される。
【００４０】
第１山部３２は、第１頂部３２ａに対して前後方向に対称となるように形成される。第２山部３３は、第２頂部３３ａに対して前後方向に対称となるように形成される。第２山部３３は、第２頂部３３ａの径が第１山部３２の第１頂部３２ａの径よりも小さくなるように形成される。具体的には、第２山部３３は、第２頂部３３ａの径が第１頂部３２ａの径よりも１５％小さい寸法となるように形成される。第２頂部３３ａの外径は、第１頂部３２ａの内径よりも小さい。
【００４１】
第３山部３４は、第３頂部３４ａに対して前後方向に対称となるように形成される。第３山部３４は、第３頂部３４ａの径が第２山部３３の第２頂部３３ａの径よりも小さくなるように形成される。具体的には、第３山部３４は、第３頂部３４ａの径が第２頂部３３ａの径よりも１５％小さい寸法となるように形成される。第３頂部３４ａの外径は、第２頂部３３ａの内径よりも小さい。
【００４２】
本体部３１は、前方から後方にかけて、第１山部３２、第２山部３３、第３山部３４の順に繰り返し続くように形成される。すなわち、本体部３１は、隣り合う山部３２〜３４において頂部３２ａ〜３４ａの径が異なっており、さらに連続する３つの山部３２〜３４において頂部３２ａ〜３４ａの径がそれぞれ異なっている。
【００４３】
具体的には、本体部３１では、前後方向において、第１山部３２の前方側に第３山部３４が形成され、第１山部３２の後方側に第２山部３３が形成される。また、前後方向において、第２山部３３の前方側に第１山部３２が形成され、第２山部３３の後方側に第３山部３４が形成される。また、前後方向において、第３山部３４の前方側に第２山部３３が形成され、第３山部３４の後方側に第１山部３２が形成される。
【００４４】
また、底部３５ａ〜３５ｃと外側シャフト１７ａ（図３参照）との間には、所定の隙間が形成される。
【００４５】
蛇腹２５は、スライダ１８の前後方向の移動に合わせて伸縮する。スライダ１８が前進して押し子１０２を押圧すると、蛇腹２５は、徐々に収縮する。そして、本体部３１は、図６に示すように第１山部３２、第２山部３３および第３山部３４が接触するように収縮する。図６は、各山部３２〜３４が接触するように蛇腹２５が収縮した状態を示す概略断面図である。
【００４６】
本体部３１は、各山部３２〜３４が接触した状態から、さらにスライダ１８が前進すると、第１山部３２は、隣り合う第３山部３４および第２山部３３によって挟持され、押圧される。また、第２山部３３は、隣り合う第１山部３２および第３山部３４によって挟持され、押圧される。また、第３山部３４は、隣り合う第２山部３３および第１山部３２によって挟持され、押圧される。
【００４７】
第１山部３２、第２山部３３および第３山部３４は、各頂部３２ａ〜３４ａの径が異なっている。また、蛇腹２５は、弾性部材によって構成されている。
【００４８】
そのため、第２頂部３３ａ付近の第２山部３３、および第３頂部３４ａ付近の第３山部３４が第１山部３２に食い込みつつ、第１山部３２が径方向に延びて、第１山部３２が弾性変形する。また、第３頂部３４ａ付近の第３山部３４が第２山部３３に食い込みつつ、第２山部３３が径方向に延びて、第２山部３３が弾性変形する。これにより、本体部３１は、前後方向にさらに収縮する。
【００４９】
蛇腹２５は、頂部３２ａ〜３４ａの径が異なる少なくとも３種類以上の山部３２〜３４が連続して形成され、隣り合う山部３２〜３４における頂部３２ａ〜３４ａの径が異なる。
【００５０】
これにより、各山部３２〜３４が接触するように蛇腹２５が収縮した場合に、第１山部３２に第２山部３３および第３山部３４の一部が食い込み、第２山部３３に第３山部３４の一部が食い込む。そのため、シリンジポンプ１は、蛇腹２５を収縮させることができ、押し子１０２をより押圧することができる。従って、シリンジポンプ１は、シリンジ１００内に薬剤が残ることを抑制することができる。
【００５１】
また、蛇腹２５は、各山部３２〜３４が接触するように収縮した場合に、各山部３２〜３４間の接触面積を小さくすることができる。そのため、例えば、薬剤が蛇腹２５にかかった場合に、シリンジポンプ１は、各山部３２〜３４が固着することを抑制することができる。
【００５２】
蛇腹２５では、前後方向に連続する３つの山部３２〜３４において、頂部３２ａ〜３４ａの径がそれぞれ異なっており、第１山部３２、第２山部３３、第３山部３４は、前方から後方にかけて第１山部３２、第２山部３３、第３山部３４の順に並んでいる。
【００５３】
これにより、蛇腹２５の前後方向の向きを容易に確認することができ、蛇腹２５を所定の決められた向きに容易に取り付けることができる。
【００５４】
隣り合う山部３２〜３４を接続する底部３５ａ〜３５ｃの内径は、外側シャフト１７ａの外径よりも大きく、底部３５ａ〜３５ｃと外側シャフト１７ａとの間には隙間が形成される。
【００５５】
これにより、第１山部３２に第２山部３３および第３山部３４の一部が食い込み、第２山部３３に第３山部３４の一部が食い込む場合に、第１山部３２および第２山部３３を径方向内側に向けて延ばすことができる。そのため、シリンジポンプ１は、蛇腹２５をさらに収縮させることができ、押し子１０２をより押圧することができる。従って、シリンジポンプ１は、シリンジ１００内に薬剤が残ることを抑制することができる。
【００５６】
なお、蛇腹２５は、底部３５ａ〜３５ｃにおいて、隣り合う底部３５ａ〜３５ｃの径を、異なる寸法としてもよい。例えば、第１山部３２と第２山部３３とを接続する底部３５ａの径と、第２山部３３と第３山部３４とを接続する底部３５ｂの径とを異なる寸法としてもよい。さらに、第３山部３４と第１山部３２とを接続する底部３５ｃの径を異なる寸法としてもよい。
【００５７】
これにより、蛇腹２５が収縮した場合に、隣り合う底部３５ａ〜３５ｃが前後方向において重なることを抑制し、隣り合う山部３２〜３４間で一方の山部を他方の山部にさらに食い込ませることができる。そのため、シリンジポンプ１は、蛇腹２５をさらに収縮させることができ、押し子１０２をより押圧することができる。従って、シリンジポンプ１は、シリンジ１００内に薬剤が残ることをより抑制することができる。
【００５８】
なお、蛇腹２５は、連続する３つの山部において、最も頂部の径が大きい山部の両側に頂部の径が等しい山部を形成した対称山部を含むように、山部３２〜３４を形成してもよい。例えば、蛇腹２５は、第１山部３２の両側に第２山部３３を形成してもよい。この場合、本体部３１は、第２山部３３、第１山部３２、第２山部３３、第３山部３４、第２山部３３の順に形成される。これにより、各山部３２〜３４が接触するように蛇腹２５が収縮した場合に、第１山部３２が第２山部３３によって両側から押圧されるため、第１山部３２の前後方向の厚さをより小さくすることができる。そのため、シリンジポンプ１は、蛇腹２５をさらに収縮させることができる。また、蛇腹２５は、第２山部３３の両側に第３山部３４を形成してもよい。対称山部が、蛇腹２５の一部に含まれることで、蛇腹２５をさらに収縮させることができる。
【００５９】
また、上記実施形態により本発明が限定されるものではない。上述した各構成素を適宜組み合わせて構成したものも本発明に含まれる。また、さらなる効果や変形例は、当業者によって容易に導き出すことができる。よって、本発明のより広範な態様は、上記の実施形態に限定されるものではなく、様々な変更が可能である。
【符号の説明】
【００６０】
１  シリンジポンプ、２  ケース、１７  シャフト、１７ａ  外側シャフト、１７ｂ  内側シャフト、１８  スライダ、２５  蛇腹、３２  第１山部、３２ａ  第１頂部、３３  第２山部、３３ａ  第２頂部、３４  第３山部、３４ａ  第３頂部、３５ａ  底部、３５ｂ  底部、３５ｃ  底部、１００  シリンジ、１０２  押し子
【図１Ａ】
2019150298.tif 000003
【図１Ｂ】
2019150298.tif 000004
【図２】
2019150298.tif 000005
【図３】
2019150298.tif 000006
【図４Ａ】
2019150298.tif 000007
【図４Ｂ】
2019150298.tif 000008
【図５】
2019150298.tif 000009
【図６】
2019150298.tif 000010